(57)【要約】【課題】高い操作性で操作者との間で人体通信を行ない、操作結果を直ちに確認できる物品検査装置を提供する。【解決手段】物品検査装置１は、操作面12に開口部13が形成された金属製の筐体11と、開口部13に対応する位置確認部16a,16b が形成されて操作面12の前面側に設けられたシート15と、筺体内に設けられた受信アンテナ６と表示操作パネル５とを有する。受信アンテナ６がシート15の第１の位置確認部16b の裏面側に設けられ、表示操作パネル５がシート15の第２の位置確認部16a の裏面側に設けられる。操作面12が単純な一平面であり異物が付着しにくく衛生的である。ワンタッチの操作で特定箇所に触れた場合にのみ認証通信ができ、操作結果を直ちに同一操作面の表示操作パネル５で視認できる。【選択図】図３
2014072550.tif 000002
【特許請求の範囲】
【請求項１】
開口部（１３）が形成された操作面（１２）を有する金属製の筐体（１１）と、
前記操作面の前面側に設けられ、前記開口部に対応する位置に位置確認部（１６ａ，１６ｂ）が形成されたシート（１５）と、
通信端末（８）を保持している人物の人体の一部が近接した場合に前記人体の表面に電界が生成されて前記通信端末からの信号を受信する受信アンテナ（６）と、
物品の検査に関する表示と操作を行なう表示操作パネル（５）とを有し、
前記筐体の内部において、前記受信アンテナが前記シートの第１の前記位置確認部（１６ｂ）の裏面側に設けられるとともに、前記表示操作パネルが前記シートの第２の前記位置確認部（１６ａ）の裏面側に設けられたことを特徴とする物品検査装置（１）。
【請求項２】
前記筐体（１１）の前記操作面（１２）が単一の平面で構成されており、前記シート（１５）は単一の前記操作面に取り付けられる１枚のシートで構成されていることを特徴とする請求項１記載の物品検査装置（１）。
【請求項３】
第１の前記位置確認部（１６ｂ）が前記受信アンテナを視認可能とする透光性部又は受信アンテナの存在を示す位置表示部であり、第２の前記位置確認部（１６ａ）が前記表示操作パネル（５）を視認可能とする透光性部であることを特徴とする請求項２記載の物品検査装置。
【請求項４】
前記シート（１５）と前記受信アンテナ（６）の間に薄型のスイッチが設けられたことを特徴とする請求項３記載の物品検査装置（１）。
【発明の詳細な説明】
【技術分野】
【０００１】
本発明は、通信端末を所持している人物の人体が受信アンテナに近接した場合に、人体の表面に電界が生成されて通信端末からの信号を受信アンテナで受信することができる人体通信が可能な物品検査装置に係り、特に良好な操作性と操作結果を直ちに確認できる良好な視認性を兼備した物品検査装置に関するものである。
【背景技術】
【０００２】
下記特許文献１に開示された物品検査装置は、予め設定された基準値と品質データとを比較して被検査物の品質の良否を検査するための装置であるが、さらに検査を実施する前に点検者が権限を有する適正な点検者であることを確認するための機能を備えている。すなわち、この物品検査装置は、搬送手段によって搬送される被検査物の品質データを取得し、被検査物の品質の良否を検査する検査モードと、物品検査装置の点検を行う点検モードを切替えるモード切替手段を有しており、さらに点検実行者が所定の資格を有する有資格点検者であることを認証する点検者認証手段を備えている。そして、点検者認証手段によって点検実行者が有資格点検者であることが認証されたときに、モード切替手段によって装置を点検モードに切替える。そして、この点検者認証手段は、例えば点検者情報記録手段と、点検者判定手段と、操作部および認証カード読取装置からなる点検者情報入力手段とにより構成することができるものとされている。
【先行技術文献】
【特許文献】
【０００３】
【特許文献１】特開２００８−１９１１０１号公報
【発明の概要】
【発明が解決しようとする課題】
【０００４】
前記特許文献１のような検査機能を有する物品検査装置は、例えば食品製造の現場において製品の品質を検査するために広く使用されているが、検査機能の点検や検査基準値の設定のように検査結果に影響を与える操作を行なえる者は、所定の有資格者のみに限られているのが通常である。このため、係る重要な操作を行なう場合には当該作業者が所定の有資格者であることを確認することが必要となり、前述した点検者判定手段のような個人認証手段が必要になる。
【０００５】
しかし、前記特許文献１の物品検査装置の点検者判定手段のように、認証カードを利用して個人認証を行なうものでは、作業者がカード等を手に保持して認証動作を行なうため、当該カード等を首からぶら下げる等、外部に露出した状態で所持した方が作業上便利ではあるが、これではカード等を紛失して原材料中に混入する可能性が否定できず、食品製造の現場では好ましい態様とは言えない。
【０００６】
また、食品製造に携わる作業者は衛生上の理由で白衣や手袋を着用しているため、カード等は外部に露出した状態で所持せず、白衣の中に納めておいた方が衛生的にも好ましい。しかし、認証用のカード等を白衣の中に保持しておき、使用する時に取り出して認証装置にかざす等するのは作業動作として極めて煩雑であり、またその度に手袋を着用した手でカードに触れるのは衛生的にも問題が多い。
【０００７】
さらに、個人認証手段としては、このような認証用のカードやタグの類の他、操作資格を含む各作業者の個人データをバーコードやＱＲコード（登録商標）等の暗号化したデータで各作業者に与えておく手法も考えられるが、これらカード、タグ、バーコード等を用いた認証手段によれば装置に読取装置を設ける必要がある。しかし、このような読取装置を物品検査装置に設けると装置の外形が複雑になり、原材料等が付着して汚れの原因になりやすいため食品製造の現場では好ましい手法とはいえない。さらに、個人認証手段としてテンキー等の入力手段によってパスワードを入力する手法も考えられるが、手袋を着用した手で何度も入力手段を操作するのは衛生上の問題がある。また、頻繁な個人認証を必要とする食品製造の現場などでは煩わしい操作である。
【０００８】
一方、作業者は上述したような認証動作を行なったり、装置に何らかの指示を入力した場合には、その操作が適切に行なわれたか否かの確認をする必要がある。しかし、食品製造の現場である食品製造工場では機械の動作音が大きく、入力確認の電子音は聞こえにくく、音声等に頼らずに操作結果を確実に認識できる手段が求められていた。
【０００９】
本発明は、以上の種々の課題に鑑みてなされたものであり、外形が複雑でないために異物が付着しにくく衛生的であり、また煩わしさのない高い操作性で操作者との間で通信を行なうとともに、その操作結果を直ちに視覚的に確認できる物品検査装置を提供することを目的としている。
【課題を解決するための手段】
【００１０】
請求項１に記載された物品検査装置１は、
開口部１３が形成された操作面１２を有する金属製の筐体１１と、
前記操作面１２の前面側に設けられ、前記開口部１３に対応する位置に位置確認部１６ａ，１６ｂが形成されたシート１５と、
通信端末８を保持している人物の人体の一部が近接した場合に前記人体の表面に電界が生成されて前記通信端末８からの信号を受信する受信アンテナ６と、
物品の検査に関する表示と操作を行なう表示操作パネル５とを有し、
前記筐体１１の内部において、前記受信アンテナ６が前記シート１５の第１の前記位置確認部１６ｂの裏面側に設けられるとともに、前記表示操作パネル５が前記シート１５の第２の前記位置確認部１６ａの裏面側に設けられたことを特徴としている。
【００１１】
請求項２に記載された物品検査装置１は、請求項１記載の物品検査装置１において、
前記筐体１１の前記操作面１２が単一の平面で構成されており、前記シート１５は単一の前記操作面１２に取り付けられる１枚のシート１５で構成されていることを特徴としている。
【００１２】
請求項３に記載された物品検査装置１は、請求項２記載の物品検査装置１において、
第１の前記位置確認部１６ｂが前記受信アンテナ６を視認可能とする透光性部又は受信アンテナ６の存在を示す位置表示部であり、第２の前記位置確認部１６ａが前記表示操作パネル５を視認可能とする透光性部であることを特徴としている。
【００１３】
請求項４に記載された物品検査装置１は、請求項３記載の物品検査装置１において、
前記シート１５と前記受信アンテナ６の間に薄型のスイッチが設けられたことを特徴としている。
【発明の効果】
【００１４】
請求項１に記載された物品検査装置によれば、通信端末を有する操作者が、人体の一部、例えば指等でシートの第１の位置確認部に触れるという簡単な操作を行なうだけで、指等を確実に受信アンテナに近接させることができ、人体の表面の微弱な電界の変化によって第１の位置確認部の裏側にある受信アンテナと通信端末との間で通信を行なうことができる。そして第１の位置確認部に指等で触れることにより通信が行なわれたか否かは、第１の位置確認部に指等で触れた方向と同方向から第２の位置確認部を介して表示操作パネルの表示を見ることで確認できる。このように、指等によるワンタッチの通信操作とその視覚による確認を、筐体の一操作面上のシートを介して同方向から行なうことができるため操作性及び視認性が良好である。また、受信アンテナも表示操作パネルもシートの裏側にあり、シートの表面には凹凸はないので異物が付着しにくく衛生的である。
【００１５】
請求項２に記載された物品検査装置によれば、筐体の操作面が単一の平面であり、そこに１枚のシートが取り付けられた構成であるため、防水性及び防塵性が高く、故障の原因となる異物や水分が筐体内に入りにくい。
【００１６】
請求項３に記載された物品検査装置によれば、シートの裏側にある表示操作パネルは透光性部から視認することができる。またシートの裏側にある受信アンテナは、他の透光性部から視認できるようにするか、又は位置表示部によってその裏側に存在することを知るように構成することができる。また、例えば、受信アンテナがオプション等で従来通りの個人認証手段を選択される場合に、透過性部とすることで、操作者は受信アンテナが未搭載であることを確認することができる。
【００１７】
請求項４に記載された物品検査装置によれば、操作者が指等で第１の位置確認部に触れると、受信アンテナによる通信が行なわれると共に、シートと受信アンテナの間に設けられた薄型スイッチが操作される。この薄型のスイッチを、受信アンテナによる通信に関連付けた特定の操作を実行するためのスイッチとすれば、受信アンテナによる通信と同時に特定の操作を実行することができる。例えば、受信アンテナによる通信が操作者の通信端末からの個人認証情報の受信であり、この薄型スイッチを装置の始動スイッチとすれば、操作者が指等で第１の位置確認部にふれて受信アンテナが個人認証情報を受信し、装置の操作資格を有するとの個人認証が行なわれると、これに続いて直ちに装置を始動させることができる。
【図面の簡単な説明】
【００１８】
【図１】本発明の実施形態である物品検査装置を用いた通信システムの全体構成を示す機能ブロック図である。
【図２】本発明の実施形態である物品検査装置の断面図である。
【図３】本発明の実施形態である物品検査装置の要部を示す分解拡散斜視図である。
【発明を実施するための形態】
【００１９】
本発明の第１実施形態である物品検査装置１及びこれを用いた通信システムを図１〜図３を参照して説明する。
図１は、人体通信システムを利用した個人認証機能を有する実施形態の物品検査装置１の概要を示す図である。この物品検査装置１は、例えば金属検出装置、重量選別装置、Ｘ線異物検出装置等であり、製品を搬送する搬送部２と、搬送部２によって搬送されている製品を測定乃至検査する検出部３と、これら各部の制御を行なう制御部４を備えている。
【００２０】
具体的に例示すれば、搬送部２はベルトコンベア等であり、検出部３は金属検出装置の場合には磁気や磁界の変動を検出する検出ヘッドであり、重量選別装置の場合には秤量手段であり、Ｘ線異物検出装置の場合にはＸ線検出器である。
【００２１】
制御部４は、表示操作パネル５と、受信アンテナ６と、スイッチ７を備えている。表示操作パネル５は、操作内容や装置の状態その他の制御項目等を表示する表示機能と、タッチスイッチとしての入力機能を備えている。表示操作パネル５の一構成例を説明すると、表示操作パネル５は、液晶表示装置のようなフラットディスプレイパネルと、その前面側に設けられた略同形のタッチスイッチパネルとによって構成することができる。
【００２２】
制御部４は、操作者１０が有する通信端末８の送信アンテナ９から送られた個人認証情報を受信する受信アンテナ６を有している。この受信アンテナ６による通信は人体通信方式を利用したものである。すなわち、操作者１０は送信アンテナ９が設けられた通信端末８を所持しており、この操作者１０が物品検査装置１の受信アンテナ６に近接すると、操作者１０の人体の表面に生じる微弱な電界が変化し、通信端末８の送信アンテナ９から送られた個人認証情報が受信アンテナ６を介して物品検査装置１に取得される。この個人認証情報は、当該操作者１０の個人識別を行なうための認証情報と、物品検査装置１の使用資格に関する情報を含んでおり、この使用資格に関する情報は物品検査装置１の操作種別に対応して設定されている。すなわち、物品検査装置１の操作の中には、オペレータが行なう通常の運転操作と、所要の資格を有する管理者が行なうべき検出感度の設定、検出異物のサイズ設定、基準重量の設定等のような品質に直結する比較的重要な基準乃至パラメータ等の設定操作とがあり、当該操作者１０に許可してよい操作を決めるために、当該操作者１０の資格がオペレータであるのか、又は管理者であるのかを、個人認証情報によって識別することができるようになっている。
【００２３】
制御部４は物品検査装置１を操作するための各種スイッチ７を有している。このスイッチ７としては、始動スイッチ、停止スイッチ、状態を予め設定した基本状態に設定するホームスイッチ等が考えられるが、特段これらに限定するものではない。
【００２４】
図２は実施形態の物品検査装置１の要部を示す断面図であり、図３は実施形態の物品検査装置１の要部を示す拡散分解斜視図であり、これらの図を参照して物品検査装置１の要部の構造を具体的に説明する。
この物品検査装置１は、シールド機能を有する金属製の筐体１１を備えている。筐体１１は略直方体形状であり、その複数の表面の中で、装置の状態を表示し又は装置の操作を行なう操作面１２は前面に設定されている。前面の操作面１２には、表示操作パネル５と、受信アンテナ６と、複数のスイッチ７のそれぞれに対応したサイズと配置で、複数の開口部１３（１３ａ、１３ｂ、１３ｃ）が形成されている。本実施形態では、表示操作パネル５に対応するパネル開口部１３ａは操作面１２の半分以上の面積を占める略矩形の開口であり、受信アンテナ６に対応するアンテナ開口部１３ｂはパネル開口部１３ａの上辺に連続して形成された矩形の小さな開口であり、またスイッチ７に対応するスイッチ開口部１３ｃは、パネル開口部１３ａの下方に配置された複数の円形の開口である。
【００２５】
筐体１１の操作面１２の裏側に当たる筐体１１の内部には、表示操作パネル５と、受信アンテナ６と、複数のスイッチ７が、それぞれ対応する各開口部１３ａ，１３ｂ，１３ｃの各位置に取り付けられている。そして、各開口部１３ａ，１３ｂ，１３ｃと、各開口部１３ａ，１３ｂ，１３ｃに設けられた表示操作パネル５と受信アンテナ６と複数のスイッチ７を覆うように、筐体１１の操作面１２の表側には一枚のシート１５が貼着されている。このシート１５はポリエステル製であり、そのサイズは操作面１２のサイズと略同一であり、その裏側にある機器類の存在を示すため、該当位置の表側には位置確認部１６ａ，１６ｂ，１６ｃがそれぞれ形成されている。すなわち位置確認部１６とは、シート１５の当該位置の裏側に特定の機器が存在することをシート１５の表面側から確認するための表示であるから、その機能が果たされる限り、具体的態様は特に限定しない。本実施形態では、その裏側に受信アンテナ６が配置された第１の位置確認部１６ｂは透光性部であり、受信アンテナ６の表面に形成されたアンテナを表示するロゴやイラスト等を視認することができる。しかし、透光性部とせず、受信アンテナ６の存在を示すロゴやイラスト等を印刷等した位置表示部としてもよい。また、その裏側に表示操作パネル５が配置された第２の位置確認部１６ａは透光性部であり、シート１５の裏側にある表示操作パネル５の表示やタッチスイッチ７を視認することができる。また、その裏側にスイッチ７が配置された複数の第３の位置確認部１６ｃは、スイッチ７の存在や種類を示すマークや説明等を印刷等した位置表示部である。
【００２６】
このように、本実施形態では、受信アンテナ６は金属製の筐体１１に収納されており、アンテナ開口部１３ｂ以外では外部に対してシールドされているため、通信端末８を所持した操作者１０が受信アンテナ６に対応した透光性部（第１の位置確認部１６ｂ）以外の部分にタッチしても信号の受信が行なわれることはなく、受信アンテナ６に対応した透光性部（第１の位置確認部１６ｂ）にタッチした場合にのみ、信号の受信が行なわれる。
【００２７】
また、本実施形態では、筐体１１の操作面１２には内部に連通する複数の開口部１３が形成されているが、この操作面１２は角のない単一の平面であり、この操作面１２に貼り付けられたシート１５は継ぎ目のない１枚のポリエステル製のシート１５であるため、防水性及び防塵性が高く、故障の原因となる異物や水分が筐体１１内に入りにくい。
【００２８】
また、本実施形態では、通信端末８を有する操作者１０が、人体の一部、例えば指等でシート１５の第１の位置確認部１６ｂに触れるという簡単なワンタッチの操作を行なうだけで、指等を確実に受信アンテナ６に近接させることができ、人体の表面の微弱な電界の変化によって受信アンテナ６と通信端末８との間で信号の送受信を行なう人体通信を行なうことができる。
【００２９】
そして第１の位置確認部１６ｂに指等で触れることにより通信が行なわれたか否かは、第１の位置確認部１６ｂに指等で触れた方向と同方向から、つまり筐体１１の操作面１２に対面する向きで、第２の位置確認部１６ａを介して表示操作パネル５の表示を見ることで確認できる。
【００３０】
このように、本実施形態の物品検査装置１によれば、指等によるワンタッチの通信操作と、その視覚による確認を、筐体１１の単一の操作面１２上のシート１５を介して同方向から行なうことができるため、操作性及び視認性が良好である。また、受信アンテナ６も表示操作パネル５もシート１５の裏側にあり、シート１５の表面には凹凸はないので異物が付着しにくく衛生的であり、特に食品製造の現場等に適している。
【００３１】
次に、本発明の物品検査装置の第２の実施形態を説明する。この物品検査装置は前記第１実施形態と略同様の構造を有しており、以下の説明では前記第１実施形態との相違点のみを指摘し、その他の部分は前記第１実施形態の説明を援用するものとする。
【００３２】
この物品検査装置では、表示操作パネル５が、表示パネルと、表示パネルの表示面側に設けられた透光性の操作パネルとによって構成されている。表示パネルと操作パネルの外形は一部を除いて同一の略矩形であるが、操作パネルの上辺の一部が表示パネルの外方に延出された特定操作部となっている。この特定操作部は受信アンテナ６と略同一の矩形状に形成されており、受信アンテナ６の前面に配置されている。すなわち、シート１５と受信アンテナ６の間に薄型のスイッチである特定操作部が設けられた構成となっている。
【００３３】
この特定操作部は、受信アンテナ６による通信に関連付けた特定の操作を実行するためのスイッチであり、受信アンテナ６による認証情報の受信及び正当権限者であることの認証が行なわれると同時（又は直後）に特定の操作を実行することができる。例えば、特定操作部を装置の始動スイッチとすれば、操作者１０が指等で第１の位置確認部１６ｂに触れて受信アンテナ６が個人認証情報を受信し、装置の操作資格を有するとの個人認証が行なわれると、これに続いて直ちに装置が始動されることとなる。
【００３４】
なお、第２実施形態では、受信アンテナ６用の特定操作部を、表示操作パネル５の操作パネルで構成したが、表示操作パネル５とは全く別体の薄型スイッチを用意し、シート１５と受信アンテナ６の間に設けることとしてもよい。
【００３５】
以上説明したように、本実施形態の物品検査装置１によれば、操作面１２が単純な一平面であり、外形が複雑でないため、異物が付着しにくく衛生的であるため、特に食品製造ラインに適しており、またワンタッチの操作で特定箇所に触れた場合にのみ操作者１０との間で認証通信を行なうことができるとともに、その操作結果を直ちに同一操作面１２の表示操作パネル５において視覚的に確認できるので、騒音の大きい工場内等においても、煩わしさのない高い操作性及び視認性を得ることができる。
【符号の説明】
【００３６】
１…物品検査装置
４…制御部
５…表示操作パネル
６…受信アンテナ
７…スイッチ
８…通信端末
９…送信アンテナ
１０…操作者
１１…筺体
１２…操作面
１３…開口部
１３ａ…パネル開口部
１３ｂ…アンテナ開口部
１３ｃ…スイッチ開口部
１５…シート
１６…位置確認部
１６ａ…第２の位置確認部
１６ｂ…第１の位置確認部
１６ｃ…第３の位置確認部
【図１】
2014072550.tif 000003
【図２】
2014072550.tif 000004
【図３】
2014072550.tif 000005